(57)【要約】【課題】グラブバケットを用いて、ヘドロを陸揚げすることなく、ヘドロ層の下の土砂のみを陸揚げして浚渫作業を行う。【解決手段】まず、グラブバケットを用いて、浚渫箇所の表層のヘドロ層１０に含まれるヘドロ１１、１２を掘削する。次に、グラブバケットを用いて、掘削されたヘドロ層１０の下の地盤２０に含まれる土砂２１、２２を浚渫し、掘削されたヘドロ１１、１２を入れる器である置換槽４１、４２を作成する。最後に、グラブバケットを用いて、掘削されたヘドロ１１、１２を作成された置換槽４１、４２に投入する。【選択図】図２
2014031646.tif 000002
【特許請求の範囲】
【請求項１】
グラブバケットを用いて、浚渫箇所の表層のヘドロ層に含まれるヘドロを掘削するヘドロ掘削工程と、
グラブバケットを用いて、前記ヘドロ掘削工程により掘削されたヘドロの一部または全部を水中に仮置きする仮置き工程と、
グラブバケットを用いて、前記ヘドロ掘削工程により掘削されたヘドロ層の下の地盤に含まれる土砂を浚渫し、前記ヘドロ掘削工程で掘削されたヘドロを入れる器である置換槽を作成する置換槽作成工程と、
グラブバケットを用いて、前記仮置き工程で仮置きされたヘドロおよび／または前記ヘドロ掘削工程で掘削されたヘドロを前記置換槽作成工程で作成された置換槽に投入するヘドロ投入工程と、
を備えることを特徴とする浚渫工法。
【請求項２】
浚渫箇所を複数の列に分割し、隣接する各列を順次浚渫する浚渫工法であって、
前記仮置き工程において、前記ヘドロ掘削工程により掘削されたヘドロを列毎に仮置きし、
前記置換槽作成工程において、前記ヘドロ掘削工程で掘削された隣接する列のヘドロが投入されると計画水深となる大きさの前記置換槽を列毎に作成し、
前記ヘドロ投入工程において、各列の前記置換槽に前記仮置き工程により仮置きされた隣接する列のヘドロを投入する、
ことを特徴とする請求項１に記載の浚渫工法。
【請求項３】
浚渫箇所を複数の列に分割し、隣接する各列を順次浚渫する浚渫工法であって、
前記仮置き工程において、前記ヘドロ掘削工程により掘削された１列目のヘドロを水中に仮置きし、
前記置換槽作成工程において、１列目について前記仮置き工程により仮置きされた１列目のヘドロおよび前記ヘドロ掘削工程で掘削された２列目のヘドロが投入されると計画水深となる大きさの前記置換槽を作成し、２列目以降の各列について前記ヘドロ掘削工程で掘削された隣接する列のヘドロが投入されると計画水深となる大きさの前記置換槽を列毎に作成し、
前記ヘドロ投入工程において、１列目の前記置換槽に前記仮置き工程により仮置きされた１列目のヘドロおよび前記ヘドロ掘削工程で掘削された２列目のヘドロを投入し、２列目以降の各列の前記置換槽に隣接する列のヘドロを投入する、
ことを特徴とする請求項１に記載の浚渫工法。
【請求項４】
前記置換槽作成工程において、２列目以降の各前記置換槽について各前記置換槽の端部に一部の土砂を掘削しないで残し、土止め壁を作成することを特徴とする請求項２または３に記載の浚渫工法。
【請求項５】
前記ヘドロ掘削工程において、通常のグラブバケットよりも幅が広くて最大開口面積が大きく、かつ最大掘り深さが小さく、Ｎ値が１５〜３０である地盤を掘削しても変形せず、刃先に爪を有する骨太・幅広グラブバケットを用いて、前記ヘドロ層に含まれるヘドロを掘削することを特徴とする請求項１ないし４のいずれか１項に記載の浚渫工法。
【請求項６】
前記ヘドロ投入工程において、前記骨太・幅広グラブバケットを用いて前記仮置き工程により仮置きされたヘドロを掘削し、置換槽に投入することを特徴とする請求項５に記載の浚渫工法。
【発明の詳細な説明】
【技術分野】
【０００１】
本発明は、グラブバケットを用いて海底や湖底、川床等の堆積土砂を浚渫する浚渫工法に関する。
【背景技術】
【０００２】
港内の維持浚渫や航路・泊地の水深増大のための浚渫作業では、必要な水深まで掘削し、掘削された土砂を陸揚げする。このような浚渫作業の方法の一つとして、グラブ浚渫船等に設置されたクレーンに吊り下げられたグラブバケットを用いて浚渫する方法が知られている。
【０００３】
特許文献１は、浚渫作業を効率良く行うために、通常のグラブバケットと、仕上げ掘り用の幅広グラブバケットとを用い、通常のグラブバケットで小さな仕上げ深さを残して浚渫した後、幅広グラブバケットで仕上げ深さまで浚渫する浚渫方法を開示する。幅広グラブバケットは、通常のグラブバケットよりも最大開口面積が大きく、かつ最大掘り深さが小さい。幅広グラブバケットを仕上げ掘りに用いると、通常のグラブバケットに比べて、１度に広い面積を掘削することができ、仕上げ掘りの回数を低減することができる。さらに、掘削深さが小さい幅広グラブバケットで小さな仕上げ深さを掘削するため、掘削された土砂の含水率を低下させることができる。
【先行技術文献】
【特許文献】
【０００４】
【特許文献１】特開２０１０−１５９５４５号公報
【発明の概要】
【発明が解決しようとする課題】
【０００５】
重要港湾などでは、臨港地区背後圏に工場群が点在している。その工場群からは、環境基準値以下に処理された大量の廃液が排出されている。この廃液が数年に渡って排出された結果、重要港湾の航路・泊地の海底に重金属やダイオキシン類が混合したヘドロ層が堆積している場合がある。このような港湾を浚渫すると、ヘドロ層のヘドロを陸揚げすることになる。
このため、陸揚げされたヘドロは、有害物質が再び海水中へ流出するのを防止するために固化処理をしなければならない。ヘドロの土量が大量だと、固化処理費用が莫大になる。
【０００６】
本発明は、グラブバケットを用いて、ヘドロを陸揚げすることなく、ヘドロ層の下の土砂のみを陸揚げして浚渫作業を行うことができる浚渫工法を提供することを目的とする。
【課題を解決するための手段】
【０００７】
上述した課題を解決するために、本発明の浚渫工法は、
グラブバケットを用いて、浚渫箇所の表層のヘドロ層に含まれるヘドロを掘削するヘドロ掘削工程と、
グラブバケットを用いて、前記ヘドロ掘削工程により掘削されたヘドロの一部または全部を水中に仮置きする仮置き工程と、
グラブバケットを用いて、前記ヘドロ掘削工程により掘削されたヘドロ層の下の地盤に含まれる土砂を浚渫し、前記ヘドロ掘削工程で掘削されたヘドロを入れる器である置換槽を作成する置換槽作成工程と、
グラブバケットを用いて、前記仮置き工程で仮置きされたヘドロおよび／または前記ヘドロ掘削工程で掘削されたヘドロを前記置換槽作成工程で作成された置換槽に投入するヘドロ投入工程と、
を備えることを特徴とする。
【０００８】
好ましくは、本発明の浚渫工法は、
浚渫箇所を複数の列に分割し、隣接する各列を順次浚渫する浚渫工法であって、
前記仮置き工程において、前記ヘドロ掘削工程により掘削されたヘドロを列毎に仮置きし、
前記置換槽作成工程において、前記ヘドロ掘削工程で掘削された隣接する列のヘドロが投入されると計画水深となる大きさの前記置換槽を列毎に作成し、
前記ヘドロ投入工程において、各列の前記置換槽に前記仮置き工程により仮置きされた隣接する列のヘドロを投入する、
ことを特徴とする。
【０００９】
好ましくは、本発明の浚渫工法は、
浚渫箇所を複数の列に分割し、隣接する各列を順次浚渫する浚渫工法であって、
前記仮置き工程において、前記ヘドロ掘削工程により掘削された１列目のヘドロを水中に仮置きし、
前記置換槽作成工程において、１列目について前記仮置き工程により仮置きされた１列目のヘドロおよび前記ヘドロ掘削工程で掘削された２列目のヘドロが投入されると計画水深となる大きさの前記置換槽を作成し、２列目以降の各列について前記ヘドロ掘削工程で掘削された隣接する列のヘドロが投入されると計画水深となる大きさの前記置換槽を列毎に作成し、
前記ヘドロ投入工程において、１列目の前記置換槽に前記仮置き工程により仮置きされた１列目のヘドロおよび前記ヘドロ掘削工程で掘削された２列目のヘドロを投入し、２列目以降の各列の前記置換槽に隣接する列のヘドロを投入する、
ことを特徴とする。
【００１０】
好ましくは、本発明の浚渫工法は、
前記置換槽作成工程において、２列目以降の各前記置換槽について各前記置換槽の端部に一部の土砂を掘削しないで残し、土止め壁を作成することを特徴とする。
【００１１】
好ましくは、本発明の浚渫工法は、
前記ヘドロ掘削工程において、通常のグラブバケットよりも幅が広くて最大開口面積が大きく、かつ最大掘り深さが小さく、Ｎ値が１５〜３０である地盤上にある堆積したヘドロを掘削しても変形せず、刃先に爪を有する骨太・幅広グラブバケットを用いて、前記ヘドロ層に含まれるヘドロを掘削することを特徴とする。
【００１２】
好ましくは、本発明の浚渫工法は、
前記ヘドロ投入工程において、前記骨太・幅広グラブバケットを用いて前記仮置き工程により仮置きされたヘドロを掘削し、置換槽に投入することを特徴とする。
【発明の効果】
【００１３】
本発明によれば、グラブバケットを用いて、ヘドロを陸揚げすることなく、ヘドロ層の下の土砂のみを陸揚げして浚渫作業を行うことができる。
【図面の簡単な説明】
【００１４】
【図１】本発明の第１の実施形態に係る浚渫工法の流れの一例を示す図である。
【図２】本発明の第１の実施形態に係る浚渫工法による掘削の概略の一例を示す図である。
【図３】本発明の第２の実施形態に係る浚渫工法の流れの一例を示す図である。
【図４】本発明の第２の実施形態に係る浚渫工法による掘削の概略の一例を示す図である。
【図５】本発明の第２の実施形態に係る浚渫工法の具体例を示す図である。
【図６】図５の続きの図である。
【図７】図６のＢ−Ｂ線断面図である。
【図８】図６の続きの図である。
【図９】図８のＣ−Ｃ線断面図である。
【図１０】図８の続きの図である。
【図１１】図１０のＤ−Ｄ線断面図である。
【図１２】図１０の続きの図である。
【図１３】図１２のＥ−Ｅ線断面図である。
【図１４】図１２の続きの図である。
【図１５】図１４のＦ−Ｆ線断面図である。
【図１６】図１４の続きの図である。
【図１７】図１６のＧ−Ｇ線断面図である。
【発明を実施するための形態】
【００１５】
以下、本発明の実施形態に係る浚渫工法について図面を参照しながら詳細に説明する。
なお、実施形態を説明する全図において、共通の構成要素には同一の符号を付し、繰り返しの説明を省略する。また、本明細書と特許請求の範囲において浚渫とは、土砂を掘削し、その土砂を陸揚げすることをいう。
【００１６】
図１は、本発明の第１の実施形態に係る浚渫工法の流れの一例を示す。
図２（Ａ）は、浚渫の対象である海底の一例を示す。海底には、ヘドロ層１０の下に砂レキ層２０が存在する。砂レキ層２０は固い地盤の一例である。この海底を計画水深３０まで浚渫するものとする。
第１の実施形態に係る浚渫工法では、浚渫箇所を１度にまとめて浚渫するか、または２つ以上の列に分けて隣接した列を順番に浚渫する。
まず、１列目の浚渫箇所を浚渫する。図２（Ａ）と図２（Ｂ）に示すように、グラブ浚渫船に設置されたクレーンに吊り下げられたグラブバケットを用いて１列目の表層のヘドロ１１を掘削し、海底に仮置きする（Ｓ１１）。次に、図２（Ｂ）と図２（Ｃ）に示すように、グラブバケットを用いてヘドロ１１の下の砂レキ２１を浚渫し、ヘドロ１１を入れる器である置換槽４１を作成する（Ｓ１２）。そして、図２（Ｃ）と図２（Ｄ）に示すように、置換槽４１の中に仮置きしたヘドロ１１を投入する（Ｓ１３）。
そして、最後の列か否かを判別し（Ｓ１４）、最後の列である場合（Ｓ１４：Ｙｅｓ）、浚渫作業を終了する。なお、浚渫箇所を１度にまとめて浚渫する場合には、ステップＳ１４がＹｅｓであるため、ここで浚渫作業は終了する。
【００１７】
ステップＳ１４で最後の列ではないと判別された場合（Ｓ１４：Ｎｏ）、隣の列を浚渫する。図２（Ｄ）と図２（Ｅ）に示すように、グラブバケットを用いて表層にあるヘドロ１２を掘削し、海底に仮置きする（Ｓ１５）。次に、図２（Ｅ）と図２（Ｆ）に示すように、グラブバケットを用いてヘドロ１２の下の砂レキ２２を浚渫し、置換槽４２と土止め壁５０を作成する（Ｓ１６）。置換槽４１と置換槽４２の間に土止めとなる壁がなければ、置換槽４１に入れたヘドロ１１が新たに掘削した置換槽４２へ流出しやすくなる。このため、置換槽４２の端部に一部の砂レキ２２を掘削しないで残し、土止め壁５０を作成する。なお、２列目以降最後の列まで掘削または浚渫されるヘドロと砂レキをそれぞれヘドロ１２と砂レキ２２という。そして、図２（Ｆ）に示すように、仮置きしたヘドロ１２を置換槽４２に投入し（Ｓ１７）、ステップＳ１４に戻る。
なお、砂レキ２１と砂レキ２２は、土砂の一例である。
【００１８】
ここで、置換槽４１と置換槽４２は、それぞれヘドロ１１とヘドロ１２が投入され、それらの内部がヘドロ１１とヘドロ１２で満たされたとき、計画水深３０となる大きさである。
第１の実施形態によれば、計画水深３０がヘドロ層１０の厚さよりも深い場合はもちろん、計画水深３０がヘドロ層１０の厚さよりも浅い場合であっても、表層のヘドロ層１０に含まれるヘドロは海底に残したまま、砂レキ層２０に含まれる砂レキを陸揚げすることができる。
【００１９】
図３は、本発明の第２の実施形態に係る浚渫工法の流れの一例を示す。
第２の実施形態は、浚渫箇所を２つ以上の列に分け、隣接した列を順番に浚渫する。
まず、１列目の浚渫箇所を浚渫する。図４（Ａ）と図４（Ｂ）に示すように、グラブ浚渫船に設置されたクレーンに吊り下げられたグラブバケットを用いて１列目の表層のヘドロ１１を掘削し、海底に仮置きする（Ｓ２１）。次に、図４（Ｂ）と図４（Ｃ）に示すように、グラブバケットを用いてヘドロ１１の下の砂レキ２３を浚渫し、ヘドロ１１を入れる器である置換槽４３を作成する（Ｓ２２）。そして、図４（Ｃ）と図４（Ｄ）に示すように、置換槽４３の中に仮置きしたヘドロ１１を投入する（Ｓ２３）。
【００２０】
続いて隣接する２列目の浚渫箇所を浚渫する。図４（Ｄ）と図４（Ｅ）に示すように、グラブバケットを用いて表層にあるヘドロ１２を掘削し、ステップＳ２３でヘドロ１１を投入した置換槽４３の中に投入する（Ｓ２４）。なお、ステップＳ２３とステップＳ２４を逆にして置換槽４３の中に２列目の表層のヘドロ１２を投入した後、仮置きした１列目のヘドロ１１を投入してもよい。そして、図４（Ｅ）に示すように、グラブバケットを用いてヘドロ１２の下の砂レキ２２を浚渫し、置換槽４２と土止め壁５０を作成する（Ｓ２５）。なお、２列目以降最後の列まで掘削または浚渫されるヘドロと砂レキをそれぞれヘドロ１２と砂レキ２２という。
続いて３列目以降最後の列まで浚渫する。グラブバケットを用いて表層にあるヘドロ１２を掘削し、置換槽４２に投入する（Ｓ２６）。最後の列ではない場合（Ｓ２７：Ｎｏ）、ステップＳ２５に戻り、隣の列を浚渫する。一方、最後の列である場合（Ｓ２７：Ｙｅｓ）、計画水深３０まで砂レキ２２を浚渫し（Ｓ２８）、浚渫作業を終了する。
なお、砂レキ２３も、土砂の一例である。
【００２１】
ここで、置換槽４３にはヘドロ１１とヘドロ１２が投入される。このため、置換槽４３は、その内部がヘドロ１１とヘドロ１２で満たされたとき、計画水深３０となる大きさである。一方、置換槽４２には、ヘドロ１２のみが投入される。このため、置換槽４２は、置換槽４３より小さく、その内部がヘドロ１２で満たされたとき、計画水深３０となる大きさである。
第２の実施形態は、２列目以降を浚渫するとき、ヘドロ１２を仮置きせずに直接置換槽４３または置換槽４２の中に投入する。この点で、第２の実施形態は、第１の実施形態よりも作業効率が高い。第２の実施形態は、ヘドロ層１０が計画水深３０よりも浅い箇所に堆積している場合、特に有効である。
【００２２】
海底に堆積しているヘドロ層は、通常、薄い。このため、特許文献１に記載の仕上げ掘り用の幅広グラブバケットを用いてヘドロ層を掘削することにより、作業効率を向上させることができる。特に、密閉式の幅広グラブバケットは含水比２００％前後主体のヘドロ層の浚渫には汚濁防止効果もあって最適である。
しかし、幅広グラブバケットは、通常のグラブバケットよりも幅が広くて最大開口面積が広いため、通常のグラブバケットに比べて構造的に弱い。ヘドロ層は軟らかいものが多いが、ヘドロ層の下に固い地盤がある場合がある。地盤のＮ値が大きくなると、グラブバケットを閉じる際にグラブバケットの端部にかかる力が大きくなるために破損しやすくなる。
幅広グラブバケットを使用して掘削する場合、そのような固い地盤を噛むと幅広グラブバケットが歪むおそれがあるので、ヘドロ層の下の固い地盤に接触しないよう、固い地盤の少し上までしか掘削できない。また、ヘドロ層の下の地盤が軟らかかったとしても、長年使用されてきた港湾には海底面上に航行中の船からの落下物や自然沈下した流木・石材等がある場合があり、それらにあたると幅広グラブバケットが歪むおそれがある。
通常のグラブバケットは、Ｎ値が１５〜３０程度の土砂であっても、問題なく掘削することができるが、ヘドロ層の下の地盤に含まれる土砂の量を減らそうとすると、一度あたりに仕上げられる面積が小さくなるため効率が悪くなる。また、一度あたり少量の土砂しか掘削することができないため、土砂の含水率が高くなりやすい。
【００２３】
そこで、上述した第１の実施形態と第２の実施形態に係るグラブバケット浚渫工法では、海底に堆積しているヘドロ層が薄い場合には、硬いものに触っても、ある程度の硬い地盤に遭遇しても、グラブバケットが歪まない骨太・幅広グラブバケットを用いて、ヘドロ層を浚渫する。骨太・幅広グラブバケットは、通常のグラブバケットよりも幅が広くて最大開口面積が大きく、かつ最大掘り深さが小さいものである。骨太・幅広グラブバケットは、一般的に使用されている幅広グラブバケットよりも強度が高く、Ｎ値＝１５〜３０の硬い地盤を掘削しても変形しない。また、Ｎ値＝１５〜３０の地盤上にある堆積したヘドロでもバケットの刃先が地盤に進入できるように、刃先には爪を有する。
骨太・幅広グラブバケットを用いて薄いヘドロ層を掘削することにより、ヘドロ層の下の地盤がＮ値＝１５〜３０でも一回あたりの掘削面積をある程度大きくしたまま、ヘドロとそのＮ値＝１５〜３０の土砂の一部を一挙に掘削することができる。
使用するグラブ船の能力により、グラブバケット内部に確保できる土砂の重量とグラブバケットの重量の合計上限値が決定するため、骨太・幅広グラブバケットは、これに応じたグラブバケット容量を有する。
なお、骨太・幅広グラブバケットは、ヘドロが拡散することを防ぐために、密閉式であることが望ましい。また、掘削したヘドロを水中で骨太・幅広グラブバケットから解放する場合、ヘドロが拡散しないように骨太・幅広グラブバケットゆっくりと開けることが望ましい。
また、第１の実施形態と第２の実施形態に係るグラブバケット浚渫工法において、海底に仮置きしたヘドロを掘削する場合に骨太・幅広グラブバケットを用いてもよい。
【００２４】
図５から図１８は、上述した第２の実施形態に係る浚渫工法の具体例を示す。
図５（Ａ）は浚渫箇所の上面図であり、図５（Ｂ）は図５（Ａ）のＡ−Ａ線断面図である。この例では浚渫箇所を１工区から５工区までの計５列に分けて浚渫する。各工区の浚渫幅はグラブ浚渫船の船体幅と同等の略２５ｍである。海底には、ヘドロ層１０の下に砂レキ層２０が存在する。水深６０の海底を計画水深３０まで浚渫するものとする。
ヘドロの浚渫（掘削・横持ち・置土）のために骨太・幅広グラブバケットを用い、粘性土や砂質土の浚渫およびヘドロの均しのために通常のグラブバケットを用いる。骨太・幅広グラブバケットと通常のグラブバケットの容量は両方とも２３ｍ３である。
【００２５】
図６と図７は、最初に浚渫する１工区においてヘドロ１１を掘削し、海底に仮置きしている状態を示す（Ｓ２１）。グラブ浚渫船７０に設置されたクレーンに吊り下げられた骨太・幅広グラブバケット７１を用いて表層のヘドロ１１を掘削し、一時的に隣接する左右の工区に振り分けて横持ち・仮置土する。このとき、浚渫範囲８０のヘドロが浚渫されている。
図８と図９は、１工区においてヘドロ１１の下の砂レキ２３を浚渫し、ヘドロ１１を入れる器である置換槽４３を作成している状態を示す（Ｓ２２）。１工区のヘドロ１１を取り終わったら、通常のグラブバケット７２を用いて砂レキ２３を掘削し、土運搬船７３に載せる。土運搬船７３に載せられた砂レキ２３は、陸上げして埋立土等に利用する。砂レキ２３を浚渫した跡は置換槽４３となる。このときまでに、ヘドロの浚渫された範囲は浚渫範囲８１である。
【００２６】
図１０と図１１は、１工区において置換槽４３の中に仮置きしたヘドロ１１を投入している状態を示す（Ｓ２３）。左右に振り分けて仮置きしたヘドロ１１を骨太・幅広グラブバケット７１で１工区の置換槽４３に横持ち・置土する。
また、図１２と図１３は、２工区のヘドロ１２を掘削し、１工区の置換槽４３の中に投入している状態を示す（Ｓ２４）。２工区のヘドロ１２を骨太・幅広グラブバケット７１で１工区の置換槽４３に横持ち・置土する。２工区のヘドロ１２を取り終わったら、通常のグラブバケット７２で１工区の置換槽４３を均す。このときまでに、ヘドロの浚渫された範囲は浚渫範囲８２である。
【００２７】
図１４と図１５は、２工区においてヘドロ１２の下の砂レキ２２を浚渫し、置換槽４２と土止め壁５０を作成している状態を示す（Ｓ２５）。２工区のヘドロ１２を取り終わったら、通常のグラブバケット７２を用いて砂レキ２２を掘削し、土運搬船７３に載せる。土運搬船７３に載せられた砂レキ２２は、陸上げして埋立土等に利用する。砂レキ２２を浚渫した跡は置換槽４２となる。このときまでに、ヘドロの浚渫された範囲は浚渫範囲８３である。
図１６と図１７は、３工区のヘドロ１２を掘削し、２工区の置換槽４２に投入している状態を示す（Ｓ２６）。３工区のヘドロ１２は骨太・幅広グラブバケット７１によって掘削され、２工区の置換槽４２へ横持ち・置土される。３工区のヘドロ１２を取り終わったら、通常のグラブバケット７２で２工区の置換槽４２を均す。このときまでに、ヘドロの浚渫された範囲は浚渫範囲８４である。
５工区までステップＳ２５とＳ２６を繰り返し（Ｓ２７：Ｎｏ）、５工区のヘドロ１２を取り終わったら、５工区の砂レキ層を計画水深３０まで浚渫し（Ｓ２８）、浚渫作業を終了する。
【００２８】
なお、上述した実施形態では、グラブ浚渫船に設置されたクレーンに吊り下げられたグラブバケットを用いて浚渫する例を示したが、グラブ浚渫船の代わりに水中バックホウに取り付けたグラブバケットを用いて浚渫することもできる。
また、上述した実施形態では、ヘドロを海底に仮置きする例を示したが、海底は水中の一例であり、例えば、湖底や川床を浚渫する場合には、ヘドロは湖底や川床に仮置きする。
【００２９】
以上説明したように、本発明によれば、表層のヘドロを陸揚げすることなく海底に残したまま、ヘドロ層の下の土砂のみを陸揚げして浚渫作業を行うことができる。
ヘドロ層に有害物質が含まれている場合、ヘドロを陸揚げすると必ず固化処理を行わなくてはならないが、本発明ではヘドロの代わりに砂や砂レキ等の土砂を陸揚げするため、固化処理を行わないで済む。陸揚げした土砂が良質土の場合には、土砂の再利用に適しているので、浚渫土砂の有効利用につながる。
また、骨太・幅広グラブバケットを用いることにより、ヘドロ層の下に固い地盤があったり、ヘドロ層の上に航行中の船からの落下物や自然沈下した流木・石材等があったりする場合であっても、ヘドロ層を効率よく掘削することができる。
【００３０】
以上、本発明の実施形態について説明したが、設計上の都合やその他の要因によって必要となる様々な修正や組み合わせは、請求項に記載されている発明や発明の実施形態に記載されている具体例に対応する発明の範囲に含まれるものとする。
【符号の説明】
【００３１】
１０…ヘドロ層、１１、１２…ヘドロ、２０…砂レキ層（硬い地盤）、２１、２２、２３…砂レキ、３０…計画水深、４１、４２、４３…置換槽、５０…土止め壁、６０…水深、７０…グラブ浚渫船、７１…幅広グラブバケット、７２…通常のグラブバケット、７３…土運搬船、８０、８１、８２、８３、８４…ヘドロの浚渫範囲
【図１】
2014031646.tif 000003
【図２】
2014031646.tif 000004
【図３】
2014031646.tif 000005
【図４】
2014031646.tif 000006
【図５】
2014031646.tif 000007
【図６】
2014031646.tif 000008
【図７】
2014031646.tif 000009
【図８】
2014031646.tif 000010
【図９】
2014031646.tif 000011
【図１０】
2014031646.tif 000012
【図１１】
2014031646.tif 000013
【図１２】
2014031646.tif 000014
【図１３】
2014031646.tif 000015
【図１４】
2014031646.tif 000016
【図１５】
2014031646.tif 000017
【図１６】
2014031646.tif 000018
【図１７】
2014031646.tif 000019